(57)【要約】      （修正有）【課題】構造が簡単でかつ形状や大きさが不特定な重い荷物でも安定して容易に梱包搬送でき、しかも不使用時にはコンパクトに折りたたんでバック等に収納して持ち運びできる風呂敷カートを提供する。【解決手段】蛇腹状に折畳み可能で且つ平坦状に展開保持可能に連結された複数個の平板プレート４からなる荷台３を有するカート本体２と、風呂敷２０の組み合わせからなる。カート本体は複数個の車輪７と可撓性の牽引紐１１及び面ファスナーを有し、荷台が展開保持された状態で風呂敷で包まれた荷物を載せることにより、荷台側主面ファスナー８と風呂敷側面ファスナー２１を介して荷物が荷台上に着脱自在に固定され、牽引紐で牽引できる。【選択図】図１
0003227214.tif 000002
【実用新案登録請求の範囲】
【請求項１】
蛇腹状に折畳み可能で且つ平坦状に展開保持可能に連結された複数個の平板プレートからなる荷台を有するカート本体と、風呂敷状シートの組み合わせからなる風呂敷カートであって、前記カート本体は複数個の車輪と可撓性の引手及び面ファスナーを有し、該面ファスナーは前記荷台の上面側に固定された荷台側面ファスナーと前記風呂敷状シートの裏面側に固定された面ファスナーとからなり、前記荷台が展開保持された状態で前記風呂敷状シートで包まれた荷物を該荷台に載せることにより、前記面ファスナーを介して荷物が荷台上に着脱自在に固定され、前記引手でカート本体を牽引可能にしてなることを特徴とする風呂敷カート。
【請求項２】
前記荷台は、蝶番で連結された２以上の折曲連結部を有している木板平板プレートからなる請求項１に記載の風呂敷カート。
【請求項３】
前記引手は、前記荷台の端縁に固定されたサイドカバーを介して前記荷台に取り付けられている請求項１又は２の風呂敷カート。
【請求項４】
前記サイドカバーにサイドガバー側補助面ファスナーが取りつけられ、且つ前記風呂敷状シートに前記補助面ファスナーに係合する風呂敷側補助面ファスナーが設けられ、前記荷台に積載された荷物を３面で固定できるようにしてなる請求項３に記載の風呂敷カート。
【考案の詳細な説明】
【技術分野】
【０００１】
本考案は、荷物の形状や大きさに対応して自由に梱包して牽引搬送でき、かつ不使用時には自在に折りたたむことができる携帯に便利な風呂敷カートに関する。
【背景技術】
【０００２】
従来、ハンドルバーを有する車輪付き台枠に買い物等を収納できる収納バッグを取り付け、牽引して簡単に運べる種々のショッピングカートが広く知られている。この種ショッピングカートの多くは、折畳み自在であり、使用しないときにはコンパクトに折りたたんで牽引可能であるが、ハンドルを有するので折畳んでもハンドルが嵩張りバッグ等に収納してコンパクトに持ち運びできないという問題点がある。さらに、従来のカートは荷物を収容するかごの形状や容積が一定であるので、荷物の形状や大きさによって収納に制限を受け、大きければ収納できず小さければ搬送中にカゴ内でガタ付き荷物を傷つけてしまう等の問題点があった。その問題点を解決するために、例えば特許文献１に示すような風呂敷に車輪を設けた運搬具が提案されている。該考案は、風呂敷の中央部に間隔をおいて支持筒及び押え片をそれぞれ対向状に一体的に取り付け、それら支持筒及び押え片により車輪を有する台枠を着脱自在に取り付けたものである。
【０００３】
該考案は、風呂敷の下面に車輪付き台枠が固定され上面に荷物を載せて風呂敷の対向端を結んで風呂敷包みとし、これにより風呂敷包みを直接押し又は引くことにより、車輪を利用して運搬することができ、不使用時には風呂敷、台枠及び車輪に分解して収納又は持ち運びできる利点がある。
【先行技術文献】
【特許文献】
【０００４】
【特許文献１】実願昭４９−０４９３２３号のマイクロフィルム(実開昭５０−１３７７５８号公報参照)
【考案の概要】
【考案が解決しようとする課題】
【０００５】
従来提案されている風呂敷カートは、台枠の構造がコ字状に成形した金属杆を支持筒に挿脱自在に嵌合して組み立てるものであるが、構造が複雑で分解組み立てが面倒であると共に強度確保が難しく、また不使用時にも台枠が嵩張りバッグ等に収納し難い問題点があった。一方、例えば水２Ｌ入りのＰＥＴボトル４本詰め段ボール箱等重い荷物を運搬可能にするためには、台枠の強度を増大させる必要があり、その分台枠の重量が増大しかつ大型化し、買い物用に携帯するには不都合である等の問題点があった。さらに、風呂敷包みを直接牽引または押して搬送するので、風呂敷包みの形状が不安定になり搬送し難いという問題点もあった。
そこで、本考案は上記従来の風呂敷を利用した運搬具の上記問題点を解決しようとするものであり、構造が簡単で容易に安価に製作でき、かつ重い荷物でも安定して容易に搬送でき、しかも不使用時にはコンパクトに折りたたんでバック等に収納して持ち運びできる風呂敷カートを提供することを目的とする。
【課題を解決するための手段】
【０００６】
本考案の風呂敷カートは、蛇腹状に折畳み可能で且つ平坦状に展開保持可能に連結された複数個の平板プレートからなる荷台を有するカート本体と、風呂敷状シートの組み合わせからなる風呂敷カートであって、前記カート本体は複数個の車輪と可撓性の引手及び面ファスナーを有し、該面ファスナーは前記荷台の上面側に固定された荷台側面ファスナーと前記風呂敷状シートの裏面側に固定された面ファスナーとからなり、前記荷台が展開保持された状態で前記風呂敷状シートで包まれた荷物を該荷台に載せることにより、前記面ファスナーを介して荷物が荷台上に着脱自在に固定され、前記引手でカート本体を牽引可能にしてなることを特徴とする構成により、上記課題を解決している。
【０００７】
前記平板プレートは、材質は限定されないが木板からなるのが、軽量で強度を確保でき且つ安価に容易に製作できるので望ましい。また、前記引手は、前記荷台の端縁に固定されたサイドカバーを介して取り付けることにより、容易に且つ確実に取り付けることができ、カート本体の牽引が容易である。さらに、該サイドカバーにも補助面ファスナーを取りつけ、且つ前記風呂敷状シートに前記補助面ファスナーに係合する補助面ファスナーを取り付けることにより、荷物を三面で荷台に固定することができ、一層安定して搬送することができる。
【考案の効果】
【０００８】
本考案の風呂敷カートによれば、運搬する荷物を風呂敷で梱包するので、荷物の形状や大きさ及び個数に限らず任意に安定して包むことができる。そして、荷台を蝶番等で折曲自在に連結して構成しているので、不使用時には蛇腹状にコンパクトに折畳んでバッグ等に収納でき携帯に便利である。また、風呂敷状シートは、荷台に面ファスナーによって着脱自在に容易に固定できるので、不使用時には荷台と分離して畳んで持ち運ぶことができ、また通常の風呂敷としても使用可能である。そして、前記荷台を構成する平板プレートに直接車輪を取り付けるので、平板プレートの強度を向上させることにより重たい荷物に耐えられる強度が確保でき、重量物でも安定して牽引搬送できる。
【０００９】
前記平板プレートは、木の板で構成することにより、蝶番等で容易に折曲自在に連結でき、荷台を安価で且つ強固に製作でき、且つ車輪を容易にとりつけることができる。前記荷台の両端縁にサイドカバーを取り付け、該サイドカバーを介して前記引手を取り付けることにより、引手も着脱自在に容易に且つ確実に取り付けることができる。そして、該サイドカバーにも補助面ファスナーを取りつけ、且つ前記風呂敷状シートに前記補助面ファスナーに係合する補助面ファスナーを取り付けることにより、荷物を三面で荷台に固定することができ、風呂敷包みの形状にかかわらず一層安定して搬送することができる。
【図面の簡単な説明】
【００１０】
【図１】カート本体と風呂敷状シートの組み合わせからなる本考案の実施形態に係る風呂敷状シートの概念図である。
【図２】前記カート本体を展開した状態の平面図である。
【図３】前記カート本体を展開した状態の裏面図である。
【図４】前記カート本体に積載物を積載した状態の斜視概念図である。
【図５】前記カート本体を折り畳んだ状態の斜視概念図である。
【考案を実施するための形態】
【００１１】
以下、本考案の実施形態に係る風呂敷カートを図面を基に詳細に説明する。
図１は本考案の実施形態に係る風呂敷カートの概念図であり、該風呂敷カート1は、折曲自在に連結された複数個の平板プレート4からなる荷台3を備えてなるカート本体2と、風呂敷状シート(以下、単に風呂敷という)20の組み合わせからなる。荷台3は、本実施形態では所定の厚みを有する木板からなる平板プレート4を４枚、蝶番5で蛇腹状に折畳み可能に連結して構成されているが、その枚数は限定されない。そして、展開して荷物を積載した状態で不用意に連結部が屈曲しないように蝶番取り付け面の反対面には図2,3に示すようにパッチン錠6を適宜取り付けることによって運搬時の連結部を固定して、荷台3の安定を図っている。
【００１２】
荷台3の裏面には複数(本実施形態では４個)の車輪7が適宜固定されている。また、荷台の表面には、荷台側主面ファスナー8のループ面又はフック面が貼り付けられている。一方、後述する風呂敷には風呂敷側主面ファスナー２１のフック面又はループが貼着され、風呂敷で梱包した荷物を面ファスナーにより着脱自在に簡易に荷台に固定できるように構成されている。
【００１３】
さらに、4枚の平板プレート４のうち両側の平板プレートの側面4’(図3参照)には、一対のほぼ三角状のサイドカバー10、10の底辺部が固定されている。サイドカバー10は布等の可撓性シートで構成され、その頂部には牽引紐(バンド)11の一端が取り付けられている。牽引紐11は、両側のサイドカバー１０、１０の頂部間を連結する適宜の紐やバックル付きの長さを調整できるバンド等適宜手段のものが採用でき、運搬時にカート本体を牽引できるものであればよい。サイドカバー１０を設けずに牽引紐11を直接荷台3の端部に連結してもよいが、本実施形態のようにサイドカバーを設けることによって、荷台に積載された荷物を三面で支えることができ、かつ後述するようにサイドカバーに補助面ファスナーを設けることによって、荷物を三面でずれないように固定できより安定して運搬することができる。
【００１４】
前記サイドカバー10の内面には、図1、2に示すように、後述する風呂敷に設けられた風呂敷側補助面ファスナーと係止するサイドカバー側補助面ファスナー１２が設けられ、風呂敷包みの荷物を下面及び側面の3方から係止するように工夫してある。
【００１５】
一方、風呂敷状シートは、通常の風呂敷２０が採用でき、品物を梱包できる強度のある可撓性シートであればその材質を問わない。風呂敷２０には、荷台3の表面に貼着された荷台側主面ファスナー8に係合する位置に風呂敷側主面ファスナー２１と、前記サイドカバーに貼着されたサイドカバー側補助面ファスナー１２に係止する風呂敷側補助面ファスナー２２が貼着されている。なお、図１において風呂敷２０は、面ファスナーを図示するために、表裏逆に表している。
【００１６】
本実施形態に係る風呂敷カートは、以上のように構成され、通常は風呂敷２０とカート本体２を分離してカート本体は、図5に示すように蛇腹状に折り畳むことによってコンパクトになり、例えば買い物袋等に収納して持ち運ぶことができる。また、風呂敷２０は通常の風呂敷として畳んでカート本体と一緒に持ち運ぶことができる。なお、カート本体２は折り畳んだ状態でサイドカバー10を平板プレート4の下面に巻き込むことによって、コンパクトに保持できるが、図5ではサイドカバー10と牽引紐15が側面から飛び出している状態を概略的に示している。
【００１７】
カートとして使用するときは、図1に示すように荷台3をファスナーを介して展開し、図において3か所の屈曲部をパッチン錠6で固定して屈曲しないようにすることによって、平坦な荷台を形成する。その上に風呂敷で包んだ荷物を図4に示すように荷台側主面ファスナー8と風呂敷側主面ファスナー21が係合するように位置合わせをして単に載せるだけで、荷物は荷台3上に固定される。そして両側のサイドカバー10、10を荷物側に折り曲げて押圧することによって、サイドカバー１０に設けられたサイドカバー側補助面ファスナー１２と風呂敷に設けられた風呂敷側補助面ファスナー２２が係合する。それにより、荷物は3面で固定されて安定した状態を保持する。
【００１８】
この状態で牽引紐１１を牽引することにより、風呂敷カート1は車輪7を介して移動し、容易に荷物を搬送することができる。荷物の搬送が終了すると風呂敷の梱包を解くことによって容易に荷物を取り出しことができ、その後風呂敷を荷台から引き剥がすことによって、容易にカート本体と風呂敷を分離でき、それぞれを折り畳んでコンパクトに収納できる。
【００１９】
以上のように、本実施形態かかる風呂敷カートは、カート本体と荷物を梱包する風呂敷は、単に面ファスナーによって係止されているだけであるから、荷物を風呂敷に包んでから荷台上に持ち運んで載置するか、荷台上に風呂敷を拡げて面ファスナー同士を係止させてその上に荷物を載置してから風呂敷で包み込むかいずれの方法によって簡単に荷物を荷台に固定できる。それにより、風呂敷で包まれた荷物が荷台上に着脱自在に積載されて、前記引手でカート本体を牽引して、重量物でも荷物の形状や大きさにかかわらず、容易に牽引搬送できる。
【符号の説明】
【００２０】
１  風呂敷カート
２  カート本体
３  荷台
４  平板プレート
５  蝶番
６  パッチン錠
７  車輪
８  荷台側主面ファスナー
１０  サイドカバー
１１  牽引紐（バンド）
１２  サイドカバー側補助面ファスナー
２０  風呂敷
２１  風呂敷側主面ファスナー
２２  風呂敷側補助面ファスナー
【図１】
0003227214.tif 000003
【図２】
0003227214.tif 000004
【図３】
0003227214.tif 000005
【図４】
0003227214.tif 000006
【図５】
0003227214.tif 000007